(57)【要約】      （修正有）【課題】ディスプレイに表示されるＧＵＩの視認性を向上させ、誤操作を防止することができる画像形成装置及び、画像形成システムを提供する。【解決手段】情報処理装置は、ディスプレイ１４を備える。ディスプレイ１４には、選択されたジョブの設定条件を設定するための第１設定画面１２０が表示される。第１設定画面１２０は、第１種類の設定および第２種類の設定を決定するための複数の設定アイコン１２６ａ，ｂ，ｃ，ｄを含む。複数の設定アイコン１２６ａ，ｂ，ｃ，ｄの各々には、第１種類の設定または第２種類の設定が、それぞれ互いに異なるように割り当てられる。また、複数の設定アイコン１２６ａ，ｂ，ｃ，ｄは、マトリクス状に配置され、第１の方向に第１種類の設定が異なるように配置され、第１の方向とは異なる第２の方向に第２種類の設定が異なるように配置される。【選択図】図５
2019082654.tif 000002
【特許請求の範囲】
【請求項１】
画像形成装置についての第１種類の設定および第２種類の設定が互いに異なるように割り当てられた複数の設定アイコンを含む設定画面を表示するディスプレイを備え、
前記複数の設定アイコンの各々は、マトリクス状に配置され、第１の方向に前記第１種類の設定が異なるように配置され、前記第１の方向とは異なる第２の方向に前記第２種類の設定が異なるように配置される、画像形成装置。
【請求項２】
前記複数の設定アイコンの各々は、使用頻度に応じた表示態様が設定される、請求項１記載の画像形成装置。
【請求項３】
前記複数の設定アイコンの各々は、使用頻度が高い順に大きく表示される、請求項２記載の画像形成装置。
【請求項４】
前記複数の設定アイコンの各々は、前記第２の方向の大きさが前記第１の方向の隣の設定アイコンに対応する大きさに設定され、前記第１の方向の大きさが前記第２の方向の隣の設定アイコンに対応する大きさに設定される、請求項３記載の画像形成装置。
【請求項５】
前記複数の設定アイコンのうち、使用頻度の低い設定アイコンを非表示にする、請求項２記載の画像形成装置。
【請求項６】
非表示にされた設定アイコンが存在する場合に、前記設定画面に、前記非表示にされた設定アイコンを表示させるための表示用アイコンが設けられる、請求項５記載の画像形成装置。
【請求項７】
前記複数の設定アイコンの各々は、使用頻度に応じて画像パラメータが設定される、請求項２記載の画像形成装置。
【請求項８】
前記画像パラメータは、明るさ、コントラスト、彩度の少なくとも１つを含む、請求項７記載の画像形成装置。
【請求項９】
請求項１ないし８のいずれかに記載の画像形成装置と、前記画像形成装置と通信可能な情報処理装置とを備え、
前記複数の機能の少なくとも１つは、前記画像形成装置と前記情報処理装置とが協働することによって実行される、画像形成システム。
【発明の詳細な説明】
【技術分野】
【０００１】
この発明は、画像形成装置および画像形成システムに関し、特にたとえば、複数の機能を実行可能な画像形成装置および画像形成システムに関する。
【背景技術】
【０００２】
この種の背景技術の一例が特許文献１に開示される。背景技術の画像形成装置は、ディスプレイを備え、ディスプレイに表示されるＧＵＩ（グラフィカルユーザインタフェース）を介してユーザ操作を受け付ける。たとえば、コピー、ファクスおよびスキャナ等の画像形成装置のジョブに割り当てられたボタンを含むメインメニュー画面がディスプレイに表示される。このメインメニュー画面においていずれかのボタンが選択されると、選択されたボタンに対応する機能についての内容を含むサブメニュー画面がディスプレイに表示される。このサブメニュー画面において、具体的な設定が行われ、各機能が画像形成装置で実行される。
【先行技術文献】
【特許文献】
【０００３】
【特許文献１】特開２０１６−２０６９２６号公報
【発明の概要】
【発明が解決しようとする課題】
【０００４】
しかしながら、背景技術の画像形成装置では、１つの設定画面で１つの設定項目についての設定を行うので、ジョブの設定作業に手間がかかるという問題がある。
【０００５】
それゆえに、この発明の主たる目的は、新規な、画像形成装置および画像形成システムを提供することである。
【０００６】
この発明の他の目的は、簡単な操作で、ジョブの設定を行うことができる、画像形成装置および画像形成システムを提供することである。
【課題を解決するための手段】
【０００７】
第１の発明は、画像形成装置についての第１種類の設定および第２種類の設定が互いに異なるように割り当てられた複数の設定アイコンを含む設定画面を表示するディスプレイを備える画像形成装置である。複数の設定アイコンの各々は、マトリクス状に配置され、第１の方向に第１種類の設定が異なるように配置され、第１の方向とは異なる第２の方向に第２種類の設定が異なるように配置される。
【０００８】
第２の発明は、第１の発明に従属する画像形成装置であって、複数の設定アイコンの各々は、使用頻度に応じた表示態様が設定される。
【０００９】
第３の発明は、第２の発明に従属する画像形成装置であって、複数の設定アイコンの各々は、使用頻度が高い順に大きく表示される。
【００１０】
第４の発明は、第３の発明に従属する画像形成装置であって、複数の設定アイコンの各々は、第２の方向の大きさが第１の方向の隣の設定アイコンに対応する大きさに設定され、第１の方向の大きさが第２の方向の隣の設定アイコンに対応する大きさに設定される。
【００１１】
第５の発明は、第２の発明に従属する画像形成装置であって、複数の設定アイコンのうち、使用頻度の低い設定アイコンを非表示にする。
【００１２】
第６の発明は、第５の発明に従属する画像形成装置であって、非表示にされた設定アイコンが存在する場合に、設定画面に、非表示にされた設定アイコンを表示させるための表示用アイコンが設けられる。
【００１３】
第７の発明は、第２の発明に従属する画像形成装置であって、複数の設定アイコンの各々は、使用頻度に応じて画像パラメータが設定される。
【００１４】
第７の発明は、第７の発明に従属する画像形成装置であって、画像パラメータは、明るさ、コントラスト、彩度の少なくとも１つを含む。
【００１５】
第９の発明は、第１ないし第８のいずれかの発明の画像形成装置と、画像形成装置と通信可能な情報処理装置とを備え、複数の機能の少なくとも１つは、画像形成装置と情報処理装置とが協働することによって実行される、画像形成システムである。
【発明の効果】
【００１６】
この発明によれば、簡単な操作で、ジョブの設定を行うことができる。
【００１７】
この発明の上述の目的，その他の目的，特徴および利点は、図面を参照して行う以下の実施例の詳細な説明から一層明らかとなろう。
【図面の簡単な説明】
【００１８】
【図１】図１はこの発明の一実施例である情報処理システムの外観構成を示す図解図である。
【図２】図２は図１に示す情報処理装置の電気的な構成を示すブロック図である。
【図３】図３は図１に示す画像形成装置の電気的な構成を示すブロック図である。
【図４】図４はホーム画面の一例を示す図解図である。
【図５】図５は第１設定画面の一例を示す図解図である。
【図６】図６は第２設定画面の一例を示す図解図である。
【図７】図７は確認画面の一例を示す図解図である。
【図８】図８は第２実施例における第１設定画面の一例を示す図解図である。
【図９】図９は第３実施例における第１設定画面の一例を示す図解図である。
【図１０】図１０は第３実施例における第１設定画面の他の例を示す図解図である。
【図１１】図１１は第４実施例における第１設定画面の一例を示す図解図である。
【図１２】図１２は第５実施例における第１設定画面の一例を示す図解図である。
【発明を実施するための形態】
【００１９】
［第１実施例］
図１はこの発明の情報処理システム（画像形成システムに相当）１００の構成の一例を示す図解図である。この図１を参照して、この発明の第１実施例である情報処理システム１００は、情報処理装置１０および画像形成装置７０を含む。
【００２０】
情報処理装置１０は、スーパーマーケット、レストランまたはコンビニエンスストアなどの店舗、並びに駅、バスターミナル、空港、役所または図書館などの公共施設に配置されるマルチメディアキオスク（ＭＭＫ）端末である。この情報処理装置１０は、配置される場所に応じて各種情報または所定のサービスを利用者（ユーザ）に提供する。また、詳細は後述するが、情報処理装置１０は、画像形成装置７０と協働して、コピー、プリント、スキャンおよびファクスなどの所定のサービスをユーザに提供することもできる。
【００２１】
なお、この明細書では、ユーザの立ち位置に対向する面、つまり後述するディスプレイ１４が設けられる側の面を前面（正面）として情報処理装置１０およびその構成部材の前後方向（奥行方向）を規定し、情報処理装置１０およびその構成部材の左右方向（横方向）は、ユーザから情報処理装置１０を見た状態を基準として規定する。これらのことは、画像形成装置７０についても同様である。
【００２２】
情報処理装置１０は、タッチパネル１２付きのディスプレイ１４、記録媒体接続部１６、紙片用プリンタ１８、符号読取部２０、近距離通信部２２、貨幣処理部２４、および写真用プリンタ２６を含む装置本体２８を備える。
【００２３】
タッチパネル１２付きのディスプレイ１４は、情報処理装置１０（装置本体２８）の上端部に配置される。タッチパネル１２は、汎用のタッチパネルであり、静電容量方式、電磁誘導方式、抵抗膜方式、赤外線方式など、任意の方式のものを用いることができる。この第１実施例では、タッチパネル１２としては、静電容量方式のタッチパネルが用いられ、ディスプレイ１４の表示面上にタッチパネル１２が設けられる。ただし、タッチパネル１２とディスプレイ１４とが一体的に形成されたタッチパネルディスプレイが用いられてもよい。また、ディスプレイ１４としては、たとえばＬＣＤまたはＥＬ（Electro-Luminescence）ディスプレイなどを用いることができる。
【００２４】
記録媒体接続部１６は、各種の記録媒体を装着するための装着部（たとえばドライブおよびメモリスロット）を含む。各種の記録媒体は、光ディスク（たとえばＣＤ−Ｒ、ＤＶＤ−ＲおよびＢＤ−Ｒなど）およびフラッシュメモリ（たとえばＵＳＢメモリ、ＳＤメモリカードおよびメモリースティックなど）などである。ただし、光ディスクは、ドライブに装着される。また、フラッシュメモリは、メモリスロットに装着される。
【００２５】
紙片用プリンタ１８は、たとえばサーマルプリンタ（感熱式プリンタ）またはドットインパクトプリンタであり、レシート、ジャーナルまたはクーポン券などの画像が印刷された紙片を発行する。具体的には、紙片用プリンタ１８は、ロール紙上に各種の文字列、画像、コードパターン（バーコードなど）などを印刷し、印刷済の紙片を排紙部１８ａから排出する。
【００２６】
符号読取部２０は、たとえばレーザスキャナまたはカメラなどを含み、商品、カード、レシートなどに付された符号またはユーザ端末（携帯端末）の画面に表示された符号などを読み取ることができる。符号読取部２０で読み取ることができる符号には、バーコード（１次元バーコード）または２次元コード（たとえばＱＲコード（登録商標）、マイクロＱＲコード、ＤａｔａＭＡＴＲＩＸ、ＭａｘｉＣＯＤＥおよびＶｅｒｉＣＯＤＥなど）などがある。
【００２７】
近距離通信部２２は、たとえば、ＩＳＯ／ＩＥＣ１８０９２等の通信規格（いわゆるＮＦＣ（Near Field Communication））等に従って、ＩＣカード（身分証、会員証または社員証など）またはユーザ端末等の通信対象との間で無線による非接触のデータ通信を行う。近距離通信部２２の通信可能距離は、数ｃｍ〜数ｍ程度である。近距離通信部２２は、通信対象に対して、通信対象に記憶されたデータの読み出しを指示する信号（読出し命令）を送信する。通信対象は、読出し命令に対する応答として所望のデータを近距離通信部２２に送信する。また、近距離通信部２２は、通信対象に書き込むデータ（書き込みデータ）とともに書き込みを指示する信号（書き込み命令）を送信する。通信対象は、書き込み命令に従って、受信した書き込みデータを通信対象の記憶部に書き込む（記憶する）。
【００２８】
貨幣処理部２４は、貨幣投入部２４ａおよび硬貨返却口２４ｂを含む。貨幣投入部２４ａは、硬貨投入口、紙幣投入口および釣銭返却レバー等を含み、近距離通信部２２の下方に配置される。硬貨投入口から投入された硬貨および紙幣投入口から投入された紙幣は、それぞれ種類毎に分類されて所定の貨幣格納部（不図示）に収容される。貨幣格納部は、硬貨用の格納部および紙幣用の格納部を含む。硬貨または紙幣が投入されると、硬貨用の格納部に収容された硬貨の種類および枚数と、紙幣用の格納部に収容された紙幣の種類および枚数とに応じて、投入金額が算出される。情報処理装置１０において所定のサービス等が実行されると、そのサービスの内容に応じた費用が投入金額から減算され、投入金額の残高が算出される。また、釣銭返却レバーが操作されると、投入金額の残高に応じて、硬貨または紙幣が返却される。ただし、硬貨は、貨幣投入部２４ａの下方に設けられる硬貨返却口２４ｂから返却され、紙幣は、紙幣投入口から返却される。
【００２９】
写真用プリンタ２６は、たとえば昇華型プリンタまたはインクジェットプリンタであり、写真用の用紙（写真用紙）上に画像を印刷する。写真用プリンタ２６で印刷された写真は、排出部２６ａに排出される。ただし、用紙上に画像を形成するための画像データとしては、記録媒体接続部１６に接続された記録媒体に記憶された画像データ、または外部コンピュータから送信された画像データ等が利用される。また、写真用プリンタ２６で印刷される写真のサイズは、Ｌ判サイズ、はがきサイズまたは２Ｌ判サイズなどである。
【００３０】
このように、情報処理装置１０は、紙片用プリンタ１８および写真用プリンタ２６を備える（プリンタ機能を備える）ので、画像形成装置の一種でもある。
【００３１】
図２は図１に示す情報処理装置１０の電気的な構成を示すブロック図である。図２を参照して、情報処理装置１０はＣＰＵ３２を含む。ＣＰＵ３２には、バス６０を介してＲＡＭ３４、ＲＯＭ３６、タッチパネル制御回路３８、表示制御回路４０、記録媒体接続部１６、紙片用プリンタ１８、符号読取部２０、近距離通信部２２、貨幣処理部２４、写真用プリンタ２６および通信回路４４が接続される。また、タッチパネル制御回路３８にはタッチパネル１２が接続され、表示制御回路４０にはディスプレイ１４が接続される。
【００３２】
ＣＰＵ３２は、情報処理装置１０の全体的な制御を司る。ＲＡＭ３４は、ＣＰＵ３２のワーク領域およびバッファ領域として用いられる。ＲＯＭ３６は、情報処理装置１０の起動プログラムや各種情報についてのデフォルト値を記憶する。
【００３３】
タッチパネル制御回路３８は、タッチパネル１２に必要な電圧などを付与するとともに、タッチパネル１２のタッチ有効範囲内でのタッチ操作（タッチ入力）を検出して、そのタッチ入力の位置を示すタッチ座標データをＣＰＵ３２に出力する。
【００３４】
表示制御回路４０は、ＧＰＵおよびＶＲＡＭなどを含んでおり、ＣＰＵ３２の指示の下、ＧＰＵは、ＲＡＭ３４に記憶された画像生成データを用いてディスプレイ１４に種々の画面を表示するための表示画像データをＶＲＡＭに生成し、生成した表示画像データをディスプレイ１４に出力する。
【００３５】
通信回路４４は、インターネットなどのネットワークに接続するための通信回路である。この通信回路４４は、有線通信回路または無線通信回路であり、ＣＰＵ３２からの指示に従って、ネットワークを介して、サーバ等の外部コンピュータ（外部端末）と通信する。ただし、通信回路４４は、ネットワークを介さずに、有線または無線（たとえば赤外線方式、ＷｉＦｉ（登録商標）方式またはブルートゥース（Bluetooth；登録商標）方式）で、画像形成装置７０およびユーザ端末などと直接通信することも可能である。
【００３６】
なお、図２に示す情報処理装置１０の電気的な構成は単なる一例であり、これに限定される必要はない。
【００３７】
図１に戻って、画像形成装置７０は、複写機能、プリンタ機能、スキャナ機能およびファクシミリ機能などを有する複合機（ＭＦＰ：Multifunction Peripheral）である。
【００３８】
画像形成装置７０は、画像読取部７２、画像形成部７４、給紙装置７６および排紙トレイ７８を含む装置本体８０を備える。ただし、画像形成装置７０は、情報処理装置１０の近傍に設置される。たとえば、画像形成装置７０は、情報処理装置１０の右側に隣接して設けられる。
【００３９】
画像読取部７２は、透明材によって形成される原稿載置台を備え、装置本体８０に内蔵される。原稿載置台の上方には、ヒンジ等を介して原稿押えカバー７２ａが開閉自在に取り付けられる。
【００４０】
また、画像読取部７２は、光源、複数のミラー、結像レンズおよびラインセンサ等を備える。この画像読取部７２は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００４１】
画像形成部７４は、装置本体８０に内蔵され、画像読取部７２の下方に設けられる。この画像形成部７４は、感光体ドラム、帯電装置、露光装置、現像装置、転写装置および定着装置などを備える。画像形成部７４は、給紙装置７６等から搬送される記録媒体（用紙）上に電子写真方式によって画像を形成し、画像形成済みの用紙を画像読取部７２および画像形成部７４の間に設けられる排紙トレイ７８に排出する。ただし、用紙上に画像を形成するための画像データとしては、画像読取部７２で読み取った画像データ、情報処理装置１０から送信された画像データ、または外部コンピュータから送信された画像データ等が利用される。また、記録媒体としては、紙からなる用紙に限定されず、ＯＨＰフィルムなどの紙以外のシートも用いられる。
【００４２】
図３は図１に示す画像形成装置７０の電気的な構成を示すブロック図である。図３を参照して、画像形成装置７０はＣＰＵ８２を含む。ＣＰＵ８２には、バス９０を介してＲＡＭ８４、ＨＤＤ８６、画像読取部７２、画像形成部７４および通信回路９２が接続される。
【００４３】
ＣＰＵ８２は、画像形成装置７０の全体的な制御を司る。ＲＡＭ８４は、ＣＰＵ８２のワーク領域およびバッファ領域として用いられる。
【００４４】
ＨＤＤ８６は、画像形成装置７０の主記憶装置であって、ＣＰＵ８２が画像形成装置７０の各部位の動作を制御するための制御プログラムおよび各種の画面についての表示画像データ等を適宜記憶する。ただし、ＨＤＤ８６に代えて、またはＨＤＤ８６とともに、ＳＳＤ、フラッシュメモリ、ＥＥＰＲＯＭなどの他の不揮発性メモリが用いられてもよい。
【００４５】
通信回路９２は、インターネットなどのネットワークに接続するための通信回路である。この通信回路９２は、有線通信回路または無線通信回路であり、ＣＰＵ８２からの指示に従って、ネットワークを介して、サーバ等の外部コンピュータと通信する。ただし、通信回路９２は、ネットワークを介さずに、有線または無線で、情報処理装置１０と直接通信することも可能である。
【００４６】
なお、図３に示す画像形成装置７０の電気的な構成は単なる一例であり、これに限定される必要はない。
【００４７】
このような構成の情報処理システム１００では、情報処理装置１０のディスプレイ１４に操作画面を表示し、タッチパネル１２へのタッチ入力に応じてユーザ操作を受け付ける。たとえば、情報処理システム１００で実行可能な複数の機能（ジョブ）の各々に割り当てられた複数のアイコンを含むホーム画面がディスプレイ１４に表示される。ユーザ操作によっていずれかのアイコンが選択された場合に、選択されたジョブの設定条件を設定するための複数の設定画面がディスプレイ１４に順次表示される。これらの設定画面において、具体的な設定が行われ、各ジョブが情報処理装置１０または画像形成装置７０で実行される。
【００４８】
しかしながら、従来の情報処理装置では、１つの設定画面で１つの設定項目についての設定を行うので、ジョブの設定作業に手間がかかるという問題がある。
【００４９】
そこで、この第１実施例では、ジョブの設定条件に含まれる第１種類の設定および第２種類の設定を設定（決定）するための複数の設定アイコンを含む設定画面をディスプレイ１４に表示するようにした。
【００５０】
以下、図４ないし図７を参照して情報処理システム１００の動作例を説明する。図４はホーム画面１１０の一例を示す図解図である。図５は第１設定画面１２０の一例を示す図解図である。図６は第２設定画面１４０の一例を示す図解図である。図７は確認画面１６０の一例を示す図解図である。
【００５１】
情報処理装置１０および画像形成装置７０の主電源がオンされて、各機能を実行可能な待機状態にある場合、情報処理装置１０のディスプレイ１４には、図４に示すようなホーム画面１１０が表示される。ホーム画面１１０は、各種のジョブを選択するためのホーム画面（操作画面）のうちの１つである。ただし、この第１実施例では、ジョブは、コピー、スキャン、印刷（プリント）およびファクスの送信などを意味する。このホーム画面１１０には、各ジョブを選択するための複数のアイコン１１２および識別情報１１４が表示される。
【００５２】
複数のアイコン１１２の各々は、略矩形状の枠で囲まれた画像であり、ソフトウェアキーとして機能する。複数のアイコン１１２の各々には、“コピー”、“ファクス”、“写真サービス”，“ネットワークプリント”、“スキャン”、“行政サービス”および“スマホからプリント”等のジョブが割り当てられている。複数のアイコン１１２の各々は、名称を表示する領域（名称表示領域）を含む。名称表示領域は、アイコン１１２に対応する機能の名称を表示する領域であり、アイコン１１２の上下方向の中央から下側の部分に設けられる。
【００５３】
ホーム画面１１０に含まれるいずれかのアイコン１１２がタッチ（選択）されると、ディスプレイ１４には、アイコン１１２に割り当てられたジョブの設定を行うための複数の設定画面が順次表示される。たとえば、コピージョブが割り当てられたアイコン１１２がタッチされると、コピージョブについての設定を行うための最初の設定画面として図５に示すような第１設定画面（第１コピー設定画面）１２０が表示される。
【００５４】
第１設定画面１２０は、タブ１２２および設定領域１２４を含む。タブ１２２は、第１設定画面１２０の上部に帯状に配置される。また、タブ１２２には、第１設定画面１２０を閉じるための閉じるアイコン１２２ａが表示される。閉じるアイコン１２２ａがタッチされると、第１設定画面１２０が閉じられて（非表示にされて）ホーム画面１１０がディスプレイ１４に表示される。後述する閉じるアイコン１４２ａおよび１６２ａも同様である。
【００５５】
設定領域１２４は、コピージョブの一部の設定条件を設定するための領域である。この設定領域１２４では、２種類の設定（白黒コピー／カラーコピーの設定および片面コピー／両面コピーの設定）が決定される。設定領域１２４には、複数の設定アイコン１２６が表示される。具体的には、設定領域１２４には、４つの設定アイコン１２６ａ〜１２６ｄが表示される。
【００５６】
設定アイコン１２６ａ〜１２６ｄの各々には、白黒コピー／カラーコピーの設定および片面コピー／両面コピーの設定が割り当てられる。また、設定アイコン１２６ａ〜１２６ｄの各々には、白黒コピー／カラーコピーの設定または片面コピー／両面コピーの設定が、それぞれ互いに異なるように割り当てられる。ただし、白黒コピー／カラーコピーの設定および片面コピー／両面コピーの設定はそれぞれ２通り存在する。このため、これら２種類の設定の組み合わせは、４通り存在する。設定アイコン１２６ａ〜１２６ｄの各々には、４通りの設定のいずれかが割り当てられる。
【００５７】
また、設定アイコン１２６ａ〜１２６ｄは、マトリクス状に配置され、横方向（第１の方向に相当）に白黒コピー／カラーコピーの設定（第１種類の設定）が異なるように配置され、縦方向（第２の方向に相当）に片面コピー／両面コピーの設定（第２種類の設定）が異なるように配置される。
【００５８】
さらに、設定アイコン１２６ａ〜１２６ｄの各々には、それぞれに割り当てられた白黒コピー／カラーコピーの設定または片面コピー／両面コピーの設定の内容に関連する図形（マーク画像）や文字列等が表示される。
【００５９】
このため、設定アイコン１２６ａ〜１２６ｄのいずれかがタッチされることによって、コピージョブの設定条件に含まれる２種類の設定（白黒コピー／カラーコピーの設定および片面コピー／両面コピーの設定）について一度に決定することができる。つまり、ユーザは、１回の動作（タッチ）で、２種類の設定を一度に決定することができる。
【００６０】
たとえば、両面コピーおよびカラーコピーの設定が割り当てられた設定アイコン１２６ｄがタッチされると、コピージョブの設定条件として、白黒コピー／カラーコピーの設定が“カラーコピー”に決定され、片面コピー／両面コピーの設定が“両面コピー”に決定される。第１設定画面１２０で設定されるコピージョブの設定が決定されると、ディスプレイ１４の表示が次の設定画面に切り替わる。
【００６１】
たとえば、第１設定画面１２０の次の設定画面として、図６に示すように、ディスプレイ１４には、第２設定画面１４０が表示される。
【００６２】
第２設定画面１４０は、タブ１４２および設定領域１４４を含む。タブ１４２は、上述したタブ１２２と同様に、第２設定画面１４０の上部に帯状に配置される。また、タブ１４２には、閉じるアイコン１４２ａが表示される。
【００６３】
設定領域１４４は、コピージョブの一部の設定条件を設定するための領域である。この設定領域１４４では、２種類の設定（用紙サイズの設定およびコピー倍率の設定）が決定される。たとえば、設定領域１４４には、２０個のアイコン１４６が表示される。
【００６４】
また、設定領域１４４には、設定領域１４４の上端部に横方向（左右方向）に延びるように配置される第1表示領域１４４ａおよび設定領域１４４の左端部に縦方向（上下方向）に延びるように配置される第２表示領域１４４ｂが設けられる。
【００６５】
第1表示領域１４４ａには、横方向の複数の位置（第１設定位置）の各々に、互いに異なるコピー倍率の設定（第１種類の設定）が割り当てられる。たとえば、図６に示す例では、５つの第１設定位置のそれぞれに、互いに異なるコピー倍率の設定（設定値）が割り当てられる。具体的には、コピー倍率の設定として、最も左側の第１設定位置から順に、“１００％”、“２００％”、“４００％”、“５０％”および“２５％”が割り当てられる。
【００６６】
また、第２表示領域１４４ｂには、縦方向の複数の位置（第２設定位置）の各々に、互いに異なる用紙サイズの設定（第２種類の設定）が割り当てられる。たとえば、図６に示す例では、４つの第２設定位置のそれぞれに、互いに異なる用紙サイズの設定が割り当てられる。具体的には、用紙サイズの設定として、最も上側の第２設定位置から順に、“Ａ４”、“Ａ３”、“Ｂ４”および“Ｂ５”が割り当てられる。
【００６７】
２０個のアイコン１４６の各々には、用紙サイズの設定またはコピー倍率の設定が、それぞれ互いに異なるように割り当てられる。
【００６８】
また、２０個のアイコン１４６は、マトリクス状に配置され、横方向に用紙サイズの設定が異なるように配置され、縦方向にコピー倍率が異なるように配置される。
【００６９】
ただし、２０個のアイコン１４６の各々は、縦方向においては複数の第１設定位置のいずれかに対応する位置に配置され、横方向においては複数の第２設定位置のいずれかに対応する位置に配置される。
【００７０】
また、２０個のアイコン１４６の各々には、縦方向において対応する第１設定位置に割り当てられたコピー倍率の設定と、横方向において対応する第２設定位置に割り当てられた用紙サイズの設定とが、割り当てられる。つまり、第１設定位置を含む縦軸と、第２設定位置を含む横軸とが交差した位置に配置されたアイコン１４６には、その第１設定位置に割り当てられたコピー倍率の設定と、その第２設定位置に割り当てられた用紙サイズの設定とが、割り当てられる。
【００７１】
さらに、２０個のアイコン１４６の各々には、それぞれに割り当てられた用紙サイズの設定またはコピー倍率の設定の内容に関連する文字列等が表示される。
【００７２】
そして、設定領域１４４に表示される２０個のアイコン１４６のいずれかがタッチされることによって、コピージョブの設定条件に含まれる２種類の設定（用紙サイズの設定またはコピー倍率の設定）についての設定が決定される。
【００７３】
たとえば、Ａ４サイズ／１００％の設定が割り当てられたアイコン１４６（図６に示す左上隅のアイコン）がタッチされると、コピージョブの設定条件として、用紙サイズの設定が“Ａ４”に決定され、コピー倍率の設定が“１００％”に決定される。第２設定画面１４０で設定されるコピージョブの設定が決定されると、ディスプレイ１４の表示が次の設定画面に切り替わる。
【００７４】
このように、コピージョブの設定が完了するまで、コピージョブのための複数の設定画面がディスプレイ１４に順次表示され、ユーザ操作に応じてコピージョブの設定が決定される。そして、コピージョブの設定が完了し、原稿が画像読取部７２で読み取られると、図７に示すような確認画面１６０がディスプレイ１４に表示される。
【００７５】
確認画面１６０は、たとえばコピージョブを実行するかどうかの確認をユーザに促すための画面であり、タブ１６２、プレビュー領域１６４、やり直しアイコン１６６および開始アイコン１６８などを含む。また、詳細な説明は省略するが、確認画面１６０には、コピーされる部数を変更するためのアイコンおよび料金を表示する表示領域等も設けられる。
【００７６】
タブ１６２は、上述したタブ１２２と同様に、確認画面１６０の上部に帯状に配置される。また、タブ１６２には、閉じるアイコン１６２ａが表示される。
【００７７】
プレビュー領域１６４には、画像読取部７２で読み取られた原稿の画像（プレビュー画像）が表示される。ただし、プレビュー画像は、上述した設定画面（たとえば第１設定画面１２０および第２設定画面１４０など）で決定されたコピージョブの設定に従って生成される。たとえば、白黒コピー／カラーコピーの設定が“白黒コピー”であれば、読取画像がカラー画像であっても、カラー画像をグレースケールのモノクロ画像に色変換したプレビュー画像が生成される。このため、ユーザは、印刷物の仕上がりを確認することができる。
【００７８】
やり直しアイコン１６６には、原稿の読み取りをやり直すことを指示する機能が割り当てられる。やり直しアイコン１６６がタッチされると、原稿が画像読取部７２で読み取られる。
【００７９】
開始アイコン１６８には、コピージョブの実行を指示する機能が割り当てられる。開始アイコン１６８がタッチされると、コピージョブの設定に従って、コピージョブが実行される。
【００８０】
この第１実施例では、ジョブの設定条件に含まれる第１種類の設定および第２種類の設定がそれぞれ互いに異なるように割り当てられる複数のアイコンを含む設定画面をディスプレイ１４に表示するようにしたので、コピージョブの設定条件に含まれる２種類の設定について一度に決定することができる。このため、簡単な操作で、ジョブの設定を行うことができる。
【００８１】
また、第１実施例によれば、複数のアイコンは、マトリクス状に配置され、横方向（第１の方向に相当）に沿って第１の種類の設定が異なるように配置され、縦方向（第２の方向に相当）に沿って第２の種類の設定が異なるように配置されるので、アイコン１４６に割り当てられた設定が視覚的に認識し易い。
【００８２】
さらに、第１実施例では、第１設定位置を含む縦軸と、第２設定位置を含む横軸とが交差した位置に配置されたアイコン１４６には、その第１設定位置に割り当てられた第１種類の設定と、その第２設定位置に割り当てられた第２種類の設定とが割り当てられるので、アイコン１４６に割り当てられた設定が視覚的に認識し易い。
［第２実施例］
第２実施例の情報処理装置１０では、設定画面に表示される複数の設定アイコンの表示態様を使用頻度に応じて変更するようにした以外は第１実施例と同じであるため、第１実施例と異なる内容について説明し、重複した説明については省略することにする。
【００８３】
図８は第２実施例における第１設定画面１２０の一例を示す図解図である。第２実施例では、設定画面に表示される複数の設定アイコンの各々は、使用頻度に応じた位置に配置される。具体的には、使用頻度が高いことが見込まれる設定アイコンは、横方向においては左側に配置され、縦方向においては上側に配置される。横方向においては左側が、縦方向においては上側が、比較的に目立ち易く、認識し易いと考えられるからである。したがって、使用頻度が高いことが見込まれる設定アイコンは、最も目立ち易く、認識し易いと考えられる設定画面（設定領域）の左上隅に配置される。
【００８４】
たとえば、公共施設に配置される情報処理システム１００では、コピージョブにおける設定条件としては、白黒コピー／カラーコピーの設定が“白黒コピー”、片面コピー／両面コピーの設定が“片面”に設定されることが多い。このため、第１設定画面１２０では、白黒コピー／カラーコピーの設定が“白黒コピー”であって、片面コピー／両面コピーの設定が“片面コピー”に割り当てられた設定アイコン１２６ａの使用頻度が高いことが見込まれる。
【００８５】
したがって、図８に示すように、第１設定画面１２０では、使用頻度が高いことが見込まれる設定アイコン１２６ａは、横方向においては最も左側に配置され、縦方向においては最も上側に配置される。つまり、第１設定画面１２０（設定領域１２４）の左上隅に配置される。
【００８６】
一方、公共施設に配置される情報処理システム１００では、コピージョブにおける設定条件としては、白黒コピー／カラーコピーの設定が“カラーコピー”、片面コピー／両面コピーの設定が“両面”に設定されることが少ない。このため、設定アイコン１２６ｄの使用頻度が低いことが見込まれる。したがって、第１設定画面１２０では、使用頻度が低いことが見込まれる設定アイコン１２６ｄは、横方向においては最も右側に配置され、縦方向においては最も下側に配置される。つまり、第１設定画面１２０（設定領域１２４）の右下隅に配置される。
【００８７】
また、第２実施例では、設定画面に表示される複数の設定アイコンの各々は、使用頻度に応じた大きさで表示される。具体的には、使用頻度が高いことが見込まれる設定アイコンは、他の設定アイコンよりも大きく表示され、使用頻度が低いことが見込まれる設定アイコンは、他の設定アイコンよりも小さく表示される。
【００８８】
たとえば、第１設定画面１２０では、使用頻度が高いことが見込まれる設定アイコン１２６ａは、他の設定アイコン１２６ｂ〜１２６ｄよりも大きく表示される。一方、使用頻度が低いことが見込まれる設定アイコン１２６ｄは、他の設定アイコン１２６ａ〜１２６ｃよりも大きく表示される。
【００８９】
また、使用頻度が普通（中程度）であることが見込まれる設定アイコン１２６ｂおよび設定アイコン１２６ｃは、使用頻度が高いことが見込まれる設定アイコン１２６ａよりも小さく、使用頻度が低いことが見込まれる設定アイコン１２６ｄよりも大きく表示される。したがって、設定画面に表示される複数の設定アイコンの各々は、使用頻度が高い順に段階的に大きく（小さく）表示されるとも言える。また、設定画面に表示される複数の設定アイコンの各々は、使用頻度が高い順に目立ち易い態様で表示されるとも言える。
【００９０】
ただし、設定画面に表示される複数の設定アイコンの各々は、横方向（第１の方向）の大きさが、縦方向（第２の方向）の隣の設定アイコンに対応する大きさに設定され、縦方向の大きさが横方向の隣の設定アイコンに対応する大きさに設定される。たとえば、図８に示す例では、設定アイコン１２６ａは、横方向の大きさが、縦方向の隣の設定アイコン１２６ｂの横方向の大きさに対応し、縦方向の大きさが、横方向の隣の設定アイコン１２６ｃの縦方向の大きさに対応する。これらのことは、他の設定アイコン１２６ｂ〜１２６ｄも同様である。
【００９１】
また、設定アイコンの各々に表示される図形や文字列等（以下、「文字列等」という。）は、使用頻度に応じた大きさで表示される。具体的には、設定アイコンの各々に表示される文字列等は、設定アイコンの大きさに合わせた大きさに表示される。たとえば、使用頻度が高いことが見込まれる設定アイコンに表示される文字列等は、他の設定アイコンに表示される文字列等よりも大きく表示される。一方、使用頻度が低いことが見込まれる設定アイコンに表示される文字列等は、他の設定アイコンに表示される文字列等よりも小さく表示される。
【００９２】
この第２実施例によれば、設定画面に表示される複数の設定アイコンが、使用頻度に応じた位置に配置されるので、複数の設定アイコンの各々を認識しやすくなる。また、使用頻度の高い設定アイコンが、比較的に目立ち易い位置に配置されるので、使用頻度の高い設定アイコンを認識し易くなる。
【００９３】
また、第２実施例によれば、設定画面に表示される複数の設定アイコンが、使用頻度に応じた大きさで表示されるので、複数の設定アイコンの各々を認識しやすくなる。また、使用頻度の高い設定アイコンが、他の設定アイコンよりも大きく表示されるので、使用頻度の高い設定アイコンを認識し易くなる。
【００９４】
なお、第２実施例では、第１設定画面１２０を例に挙げて説明したが、第１実施例で説明した第２設定画面１４０などの他の設定画面においても、複数の設定アイコンの表示態様を使用頻度に応じて変更することができる。
［第３実施例］
第３実施例の情報処理装置１０では、使用頻度の低い設定アイコンを非表示にするようにした以外は第１実施例と同じであるため、第１実施例と異なる内容について説明し、重複した説明については省略することにする。
【００９５】
図９は第３実施例における第１設定画面１２０の一例を示す図解図である。図１０は第３実施例における第１設定画面１２０の他の例を示す図解図である。
【００９６】
第３実施例では、設定画面に表示される複数の設定アイコンのうち、使用頻度の低い設定アイコンが非表示にされる。コピージョブにおける設定条件としては、片面コピー／両面コピーの設定が“両面コピー”に設定されることが少ない。このため、図５に示すような第１設定画面１２０に含まれる４つの設定アイコン１２６ａ〜１２６ｄのうち、片面コピー／両面コピーの設定が“両面コピー”に割り当てられた設定アイコン１２６ｂおよび設定アイコン１２６ｄは、使用頻度が低いことが見込まれる。したがって、図９に示すように、第３実施例の第１設定画面１２０では、使用頻度の低い設定アイコン１２６ｂおよび設定アイコン１２６ｄが非表示にされ、使用頻度の高い（片面コピー／両面コピーの設定が“片面”に割り当てられた）設定アイコン１２６ａおよび設定アイコン１２６ｃのみが表示される。
【００９７】
なお、図９に示す表示例では、片面コピー／両面コピーの設定に応じて選択アイコンの表示／非表示が決められるようにしたが、これに限定される必要は無い。たとえば、設定画面に含まれる設定アイコンのうち、使用頻度が平均よりも低い設定アイコンを非表示にしても良いし、図１０に示すように、最も使用頻度が高い１つの設定アイコンのみを表示させ、それ以外の設定アイコンを全て非表示にしても良い。
【００９８】
ただし、非表示にされた設定アイコンが存在する場合には、設定画面には、非表示にされた設定アイコンを表示させるための表示用アイコンが設けられる。たとえば、図９および図１０に示すように、第３実施例の第１設定画面１２０では、表示用アイコン１２８が設けられる。表示用アイコン１２８がタッチされると、非表示にされていた設定アイコンが表示されるようになる。たとえば、設定アイコン１２６ｂおよび設定アイコン１２６ｄが非表示にされた状態の第１設定画面１２０において表示用アイコン１２８がタッチされると、図５に示すような４つの設定アイコン１２６ａ〜１２６ｄが表示される第１設定画面１２０に切り替わる。
【００９９】
この第３実施例によれば、使用頻度の低い設定アイコンが非表示にされるので、大半のユーザは、使用頻度の高い設定アイコンのみを迷うことなく選択することができ、誤操作を防止することができる。
【０１００】
また、第３実施例によれば、非表示にされた設定アイコンが存在する場合には、設定画面には、非表示にされた設定アイコンを表示させるための表示用アイコンが設けられるので、非表示にされた設定アイコンを選択したいユーザは、表示用アイコンを選択して、所望のアイコンを表示させることができる。
［第４実施例］
第４実施例の情報処理装置１０では、設定画面に表示される複数の設定アイコンの画像パラメータを使用頻度に応じて段階的に設定するようにした以外は第１実施例と同じであるため、第１実施例と異なる内容について説明し、重複した説明については省略することにする。
【０１０１】
第４実施例では、設定画面に表示される複数の設定アイコンの各々は、使用頻度に応じて画像パラメータが設定される。ただし、画像パラメータは、明るさ、コントラスト、彩度の少なくとも１つを含む。
【０１０２】
図１１は第４実施例における第１設定画面１２０の一例を示す図解図である。図１１に示すように、第４実施例の第１設定画面１２０には、４つの設定アイコン１２６ａ〜１２６ｄが表示される。ここで、設定アイコン１２６ａ、設定アイコン１２６ｂ、設定アイコン１２６ｃおよび設定アイコン１２６ｄの順に使用頻度が高いとする。この場合、図１１に示すように、設定アイコン１２６ａ、設定アイコン１２６ｂ、設定アイコン１２６ｃおよび設定アイコン１２６ｄの順にコントラストが高く設定される。つまり、設定画面に表示される複数の設定アイコンの各々は、使用頻度が高い順に、比較的に目立ち易く表示される。
【０１０３】
この第４実施例によれば、設定画面に表示される複数の設定アイコンの画像パラメータが使用頻度に応じて段階的に設定されるので、使用頻度の高い設定アイコンを認識し易くなる。
［第５実施例］
第５実施例の情報処理装置１０では、設定画面に表示される複数の設定アイコンの各々に、それぞれに割り当てられた設定の内容に関連する情報が表示されるようにした以外は第１実施例と同じであるため、第１実施例と異なる内容について説明し、重複した説明については省略することにする。
【０１０４】
図１２は第５実施例における第１設定画面１２０の一例を示す図解図である。図１２に示すように、第５実施例では、第１設定画面１２０に表示される４つの設定アイコン１２６ａ〜１２６ｄの各々に、それぞれに割り当てられた設定の内容に関連する文字列等が表示される。ただし、４つの設定アイコン１２６ａ〜１２６ｄの各々には、文字列に代えて、または文字列とともに、それぞれに割り当てられた設定の内容に関連する図形等が表示されても良い。
【０１０５】
この第５実施例によれば、設定画面に表示される複数の設定アイコンの各々に、それぞれに割り当てられた設定の内容に関連する情報が表示されるので、ユーザは、設定アイコンに割り当てられた設定を認識し易い。
【０１０６】
なお、上述の実施例で挙げた具体的な構成等は一例であり、実際の製品に応じて適宜変更することが可能である。
【０１０７】
また、上述の実施例では、情報処理装置１０を備える情報処理システム１００に本発明が適用される場合を例に挙げて説明したが、これ以外の装置にも、本発明を適用することができる。たとえば、上述した情報処理装置１０が備える各コンポーネントを備え、当該情報処理装置１０の各機能を有する画像形成装置７０にも、本発明を適用することができる。この場合、画像形成装置７０は、上述した情報処理装置１０が提供する各種情報または所定のサービスをユーザに提供することができる。
【０１０８】
さらに、上述の実施例では、情報処理装置１０がタッチパネル１２付きのディスプレイ１４を備え、ディスプレイ１４に複数の設定アイコンを含む設定画面を表示するようにしたが、これに限定される必要は無い。たとえば、画像形成装置７０がタッチパネル付きのディスプレイを備えるようにしても良い。この場合、情報処理装置１０のタッチパネル１２付きのディスプレイ１４が省略されても良いし、情報処理装置１０がタッチパネル１２付きのディスプレイ１４を備えたまま（情報処理装置１０と画像形成装置７０との両方がタッチパネル付きのディスプレイを備える構成）でも良い。ただし、情報処理装置１０のタッチパネル１２付きのディスプレイ１４が省略される場合には、画像形成装置７０のディスプレイに複数の設定アイコンを含む設定画面が表示される。また、情報処理装置１０と画像形成装置７０との両方がタッチパネル付きのディスプレイを備える場合には、それぞれのディスプレイに複数の設定アイコンを含む設定画面が表示されても良いし、いずれか一方のディスプレイに複数の設定アイコンを含む設定画面が表示されても良い。画像形成装置７０のディスプレイに複数の設定アイコンを含む設定画面が表示される場合には、ユーザは、画像形成装置７０のタッチパネルへのタッチ入力によって当該設定画面でジョブの設定条件に含まれる第１種類の設定および第２種類の設定を決定することができる。
【符号の説明】
【０１０９】
１０  …情報処理装置
１２  …タッチパネル
１４  …ディスプレイ
３２  …ＣＰＵ
３４  …ＲＡＭ
３６  …ＲＯＭ
７０  …画像形成装置
１１０…ホーム画面
１２０…第１設定画面
１４０…第２設定画面
１６０…確認画面
【図１】
2019082654.tif 000003
【図２】
2019082654.tif 000004
【図３】
2019082654.tif 000005
【図４】
2019082654.tif 000006
【図５】
2019082654.tif 000007
【図６】
2019082654.tif 000008
【図７】
2019082654.tif 000009
【図８】
2019082654.tif 000010
【図９】
2019082654.tif 000011
【図１０】
2019082654.tif 000012
【図１１】
2019082654.tif 000013
【図１２】
2019082654.tif 000014